【手続補正書】
【提出日】平成20年4月1日(2008.4.1)
【手続補正１】
【補正対象書類名】明細書
【補正対象項目名】特許請求の範囲
【補正方法】変更
【補正の内容】
【特許請求の範囲】
【請求項１】  ヒト骨盤の解剖学的領域を磁気共鳴画像診断するための装置であって、該装置は、
アンテナを含む尿道内磁気共鳴撮像（ＭＲＩ）コイルと、
前記アンテナと磁気共鳴撮像器との間に置かれたインターフェース回路であって、前記インターフェース回路は前記アンテナと電気的に繋がっており、また、前記磁気共鳴撮像器と電気的に繋がっており、前記インターフェース回路は、同調−整合回路、減結合回路、及びバルン回路を含む、インターフェース回路と、
前記アンテナを覆うハウジングとを含む、装置。
【請求項２】  前記アンテナは、フレキシブル回路基板上に存在する、請求項１に記載のシステム。
【請求項３】  前記インターフェース回路は、ＤＣ調節回路をさらに含む、請求項１に記載のシステム。
【請求項４】  前記同調−整合回路、減結合回路、バルン回路及びＤＣ調節回路のうち少なくとも１つは、コネクタによって前記アンテナに接続されているインターフェースボックス内に収容されている、請求項３に記載のシステム。
【請求項５】  前記同調−整合回路、減結合回路、バルン回路及びＤＣ調節回路のうち少なくとも１つは、ワイヤレス接続によって前記アンテナに接続されているインターフェースボックス内に収容されている、請求項３に記載のシステム。
【請求項６】  前記アンテナは、受信専用コイルである、請求項１に記載のシステム。
【請求項７】  前記同調−整合回路は、第１の組のキャパシタは直列、第２の組のキャパシタは並列に、少なくとも２組のキャパシタを含む、請求項１に記載のシステム。
【請求項８】  前記同調−整合回路、及び減結合回路のうち少なくとも１つは、フレキシブル回路基板上に存在する、請求項２に記載のシステム。
【請求項９】  前記減結合回路は、ＰＩＮダイオードを含む、請求項１に記載のシステム。
【請求項１０】  前記ハウジングは、遠位端において密閉されている、請求項１に記載のシステム。
【請求項１１】  前記インターフェース回路と前記磁気共鳴撮像器との間の電気的繋がりは、ワイヤレス接続を含む、請求項１に記載のシステム。
【請求項１２】  ヒト骨盤の解剖学的領域を磁気共鳴画像診断（ＭＲＩ）するための装置であって、該装置は、
第１のアンテナと第２のアンテナとを含む尿道内磁気共鳴撮像コイルシステムであって、前記第２のアンテナは前記第１のアンテナに対して、あらかじめ選択された位置に向けて置かれている、尿道内磁気共鳴撮像コイルシステムと、
磁気共鳴撮像器と前記第１及び第２のアンテナとの間に置かれたインターフェースシステムであって、前記インターフェースシステムは、前記磁気共鳴撮像器ならびに前記第１のアンテナ及び第２のアンテナのそれぞれと電気的に繋がっており、前記インターフェースシステムは、同調−整合システム、減結合システム、及びバルンシステムを含む、インターフェースシステムと、
前記第１のアンテナ及び前記第２のアンテナのうち少なくとも１つを覆うハウジングと含む、装置。
【請求項１３】  前記第１のアンテナ及び前記第２のアンテナのうち少なくとも１つは、フレキシブル回路基板上に存在する、請求項１２に記載の装置。
【請求項１４】  前記予め選択された位置は、前記第１のアンテナを、前記第２のアンテナに対してあらかじめ選択された角度で配置する、請求項１２に記載の装置。
【請求項１５】  前記あらかじめ選択された角度が約９０度である、請求項１４に記載の装置。
【請求項１６】  前記あらかじめ選択された位置は、前記第１のアンテナと前記第２のアンテナとの間に矩形パターンを生成する、請求項１２に記載の装置。
【請求項１７】  前記インターフェースシステムは、第１のインターフェース回路と第２のインターフェース回路を含み、前記第１のインターフェース回路は、第１の同調−整合回路、第１の減結合回路、及び第１のバルンを含み、そして、第２のインターフェース回路は、第２の同調−整合回路、第２の減結合回路、及び第２のバルンを含み、前記第１のインターフェース回路は、前記第１のアンテナと前記磁気共鳴撮像器との間に置かれ、前記第１のアンテナ及び前記磁気共鳴撮像器と電気的に繋がっており、そして、前記第２のインターフェース回路は、第２のアンテナと磁気共鳴撮像器の間に置かれ、前記第２のアンテナ及び前記磁気共鳴撮像器に電気的に繋がっている、請求項１２に記載のシステム。
【請求項１８】  前記尿道内磁気共鳴撮像コイルシステムは、前記第１のアンテナと前記第２のアンテナとの間に位置付けることが可能な減結合パドルをさらに含む、請求項１２に記載のシステム。
【請求項１９】  前記減結合パドルは、前記第１のアンテナと前記第２のアンテナとの間に略等距離に、斜めの位置に、傾斜して位置付けることが可能である、請求項１８に記載のシステム。
【請求項２０】  前記減結合パドルの位置は、尿道内磁気共鳴撮像コイルシステムのユーザーにより調整可能である、請求項１８に記載のシステム。
【請求項２１】  前記減結合パドルは、前記第１のアンテナ及び第２のアンテナのうち少なくとも１つと略類似の形状に形成されている、請求項１８に記載のシステム。
【請求項２２】  前記減結合パドルは、前記第１のアンテナ及び第２のアンテナのうち少なくとも１つと略類似の寸法で形成されている、請求項１８に記載のシステム。
【請求項２３】  前記第１のアンテナ及び第２のアンテナのうち少なくとも１つは、受信専用コイルである、請求項１２に記載のシステム。
【請求項２４】  前記同調−整合システムは、第１の組のキャパシタは直列、第２の組のキャパシタは並列に、少なくとも２組のキャパシタを含む、請求項１２に記載のシステム。
【請求項２５】  前記減結合システムは、ＰＩＮダイオードを含む、請求項１２に記載のシステム。
【請求項２６】  前記インターフェースシステムと前記磁気共鳴撮像器との間の電気的繋がりは、ワイヤレス接続を含む、請求項１２に記載のシステム。
【請求項２７】  前記ハウジングは、前記第１のアンテナ及び前記第２のアンテナのうち少なくとも１つを覆うために塗布された絶縁体層を含む、請求項１２に記載のシステム。
【請求項２８】  前記ハウジングは、中空円筒状部材を含む、請求項１２に記載のシステム。
【請求項２９】  前記中空円筒状部材は、遠位端において密閉されている、請求項２８に記載のシステム。
【請求項３０】  前記中空円筒状部材は、前記第１のアンテナと前記第２のアンテナを覆っている、請求項２８に記載のシステム。
【請求項３１】  患者の骨盤内の解剖学的領域を処置するためのシステムであって、該システムは、
患者の尿道に挿入することが可能であり、前記尿道内に一時的に留置しておくことが可能な延長部材であって、前記延長部材は、尿道内撮像システム及び尿道内治療システムを収容し、前記尿道内撮像システムは、アンテナを含む尿道内磁気共鳴撮像コイルを含み、前記尿道内治療システムは、治療様式を、尿道内撮像システムによって撮像される解剖学的領域の部分へ経尿道的に送達するための尿道内送達装置を含む、延長部材と、
前記アンテナと磁気共鳴撮像器との間に置かれたインターフェース回路であって、前記インターフェース回路は、前記アンテナと電気的に繋がっており、また、前記磁気共鳴撮像器と電気的に繋がっており、前記インターフェース回路は、同調−整合回路、減結合回路、及びバルン回路とを含む、インターフェース回路とを含む、システム。
【請求項３２】  前記延長部材は、バルーンを膨らませることによってあらかじめ選択された位置に一時的に留置することができる、請求項３１に記載のシステム。
【請求項３３】  前記アンテナは、フレキシブル回路上に存在する、請求項３１に記載のシステム。
【請求項３４】  前記治療様式は、電磁線照射を含む、請求項３１に記載のシステム。
【請求項３５】  前記電磁線照射は、光エネルギーを含む、請求項３４に記載のシステム。
【請求項３６】  前記光エネルギーは、レーザによって生成される、請求項３５に記載のシステム。
【請求項３７】  前記電磁線照射は、マイクロ波エネルギーを含む請求項３４記載のシステム。
【請求項３８】  前記電磁線照射は、赤外線照射を含む、請求項３４に記載のシステム。
【請求項３９】  前記電磁線照射は、紫外線照射を含む、請求項３４に記載のシステム。
【請求項４０】  前記治療様式は、薬物を含む、請求項３１に記載のシステム。
【請求項４１】  前記薬物は、放射線源を含む、請求項４０に記載のシステム。
【請求項４２】  前記治療様式は、挿入可能な装置を含む、請求項３１に記載のシステム。
【請求項４３】  前記同調−整合回路、減結合回路、及びバルン回路のうち少なくとも１つは、コネクタによってアンテナに接続されているインターフェースボックスに収容されている、請求項３１に記載のシステム。
【請求項４４】  前記同調−整合回路、前記減結合回路、及び前記バルン回路の少なくとも１つは、ワイヤレス接続によってアンテナに接続されているインターフェースボックスに収容されている、請求項３１に記載のシステム。
【請求項４５】  前記同調−整合回路、減結合回路、及びバルン回路のうち少なくとも１つは、前記フレキシブル回路基板上に存在する、請求項３３に記載のシステム。
【請求項４６】  前記インターフェース回路と前記磁気共鳴撮像器との間の電気的繋がりは、ワイヤレス接続を含む、請求項３１に記載のシステム。
【請求項４７】  前記尿道内治療システムは、延長部材の外側表面に固着されている、請求項３１に記載のシステム。
【請求項４８】  前記尿道内治療システムは、一時的に前記外部表面に固着され、そこから移動させることが可能である、請求項４７に記載のシステム。
【請求項４９】  前記尿道内治療システムは、延長部材の外部に塗布された周囲の層の内部に収容されている、請求項３１に記載のシステム。
【請求項５０】  前記尿道内治療システムは、前記延長部材の内部に収容されている、請求項３１に記載のシステム。
【請求項５１】  前記延長部材は、中空円筒状部材を含む、請求項３１に記載のシステム。
【請求項５２】  前記尿道内部治療システムは、前記中空円筒状部材内に収容されている、請求項５１に記載のシステム。
【請求項５３】  前記尿道内治療システムは、前記中空円筒状部材内の第１の位置から、前記中空円筒状部材の外側の第２の位置まで移動可能である、請求項５２に記載のシステム。
【請求項５４】  前記送達装置は、前記尿道内システムが前記第２の位置に位置付けられると、治療様式を送達するために活性化される、請求項５３に記載のシステム。